(57)【特許請求の範囲】
【請求項１】
扉に取り付けた係止体と、床に取り付けたキャッチャとを備え、前記扉を所定の開き位置に移動させた時点で前記係止体を前記キャッチャに係止させることによって前記扉を当該開き位置に保持可能な戸当たりであって、
前記係止体は、前記扉の下向き面に取り付けられ且つ当該取付状態における前記扉の厚み方向に沿った寸法が前記扉の厚み寸法よりも小さい扁平なベース体と、前記ベース体の内部に少なくとも基端部側領域を収容した状態で前記ベース体に対して前記取付状態における前記扉の幅方向に突没動作可能な係止体本体と、前記ベース体の内部に収容され且つ前記係止体本体を前記ベース体から突出させる方向に付勢する付勢部材とを備えたものであり、
前記キャッチャは、前記係止体本体の先端部が嵌合可能な嵌合凹部と、前記所定の開き位置に向かう前記扉の移動に伴って前記嵌合凹部に到達する直前の前記係止体本体の先端が干渉し且つ前記付勢部材の付勢力に抗して前記係止体本体を没入方向に移動させる干渉部とを備えたものであることを特徴とする戸当たり。
【請求項２】
前記係止体は、前記扉の下向き面に開口する取付用孔に挿入可能な有底筒状の筒状挿入部を備え、前記筒状挿入部の底部に前記係止体本体の移動範囲を規定する長孔を形成するとともに、前記係止体本体の突没動作に伴って前記長孔内で移動する規制ピンの一部を前記筒状挿入部の内部空間に臨ませている請求項１に記載の戸当たり。
【請求項３】
前記ベース体の高さ寸法及び前記キャッチャの高さ寸法をそれぞれ１０ｍｍ以下に設定している請求項１又は２に記載の戸当たり。
【請求項４】
前記係止体及び前記キャッチャを共通の位置決め部材に相対位置を固定した状態で保持可能に構成し、前記位置決め部材による前記係止体及び前記キャッチャの保持状態を維持したまま前記キャッチャを床に取り付け、当該キャッチャの取付後に、前記位置決め部材による前記係止体及び前記キャッチャの保持状態を解除して当該位置決め部材を前記係止体及び前記キャッチャから取り外した請求項１乃至３の何れかに記載の戸当たり。
【発明の詳細な説明】
【技術分野】
【０００１】
本発明は、扉を所定の開き位置で停止させて保持可能な戸当たり関するものである。
【背景技術】
【０００２】
従来より、例えば部屋等の所定空間を他の空間と仕切り得る出入口を開閉可能な回転扉を所定方向に回転させて、開放状態を維持するために、回転扉の下端部近傍に設けた係止体を、床面に固定されたキャッチャに係止させる戸当たりが知られている。
【０００３】
例えば、特許文献１には、扉の側面に取り付けた棒状部材（係止体）を、床に取り付けた略円筒状の床側部材（キャッチャ）に収容可能に構成し、さらに、この床側部材に、扉側棒状部材を収容する際の入り口となる開口を開放する位置と閉止する位置との間で回動自在なカバーを嵌合した戸当たりが開示されている。このような戸当たりであれば、扉を開ける操作に伴って扉側棒状部材が開口を通じて床側部材内に収容され、その状態で、開放位置にあるカバー部材を閉止位置にまで手動で回すことによって、扉側棒状部材を床側部材内に封じ込めることができ、扉を開いた状態に安定して維持することが可能である。
【０００４】
また、特許文献２には、上昇方向に付勢された磁性体である昇降可動部材（係止体）を扉に取り付けるとともに、昇降可動部材を磁力によって吸着保持可能なキャッチャを床面に取り付け、扉を開ける操作に伴って可動部材がキャッチャとの磁力により付勢力に抗して下降移動してキャッチャに吸着されることによって扉を開き状態に維持可能な戸当たりが開示されている。
【先行技術文献】
【特許文献】
【０００５】
【特許文献１】特開２００９−２７５３９１号公報
【特許文献２】特開２０１０−２８１１７９号公報
【発明の概要】
【発明が解決しようとする課題】
【０００６】
ところが、特許文献１記載の戸当たりのように、扉の側面に係止体を設けた場合、その係止体は常時扉の側面において露出しているため、視界に入り易く、扉のデザイン性を損なう要因となったり、不意に足や物が引っ掛ってしまうおそれがある。
【０００７】
また、特許文献２記載の戸当たりのように、係止体を昇降動作可能に設定した場合、その係止体を扉の側面に設けた場合には上述と同様の不具合が生じる可能性があり、仮に、係止体を扉内部に収容した場合には、係止体の適切な昇降移動距離を十分に確保可能なスペースを扉の内部に確保しなければならず、係止体を扉に取り付ける際に必要な扉に対する加工度合いが大きくなるというデメリットがある。
【０００８】
本発明は、このような問題に着目してなされたものであって、主たる目的は、扉側に取り付ける係止体を視界に入り難い位置に配置しつつ、係止作用に伴う係止体の移動スペースを扉の内部空間に確保する必要のない戸当たりを提供することにある。
【課題を解決するための手段】
【０００９】
すなわち本発明は、扉に取り付けた係止体と、床に取り付けたキャッチャとを備え、扉を所定の開き位置に移動させた時点で係止体をキャッチャに係止させることによって扉を所定の開き位置に保持可能な戸当たりに関するものである。
【００１０】
そして、本発明に係る戸当たりは、係止体として、扉の下向き面に取り付けられ且つ当該取付状態における扉の厚み方向に沿った寸法が扉の厚み寸法よりも小さい扁平なベース体と、ベース体の内部に少なくとも基端部側領域を収容した状態でベース体に対して取付状態における扉の幅方向に突没動作可能な係止体本体と、ベース体の内部に収容され且つ係止体本体をベース体から突出させる方向に付勢する付勢部材とを備えたものを適用するとともに、キャッチャとして、係止体本体の先端部が嵌合可能な嵌合凹部と、所定の開き位置に向かう扉の移動に伴って嵌合凹部に到達する直前の係止体本体の先端が干渉し且つ付勢部材の付勢力に抗して係止体本体を没入方向に移動させる干渉部とを備えたものを適用していること特徴としている。ここで、「取付状態における扉の幅方向」とは、係止体を扉に取り付けた状態（取付状態）において、扉の厚み方向及び高さ方向に直交する方向である。また、「没入方向」とは、係止体本体がベース体に対して没入する方向を意味する。
【００１１】
このような戸当たりであれば、取付状態における扉の厚み方向に沿った寸法が扉の厚み寸法よりも小さい扁平なベース体を扉の下向き面に取り付け、このベース体の内部に係止体本体の基端部領域及び付勢部材を収容しているため、係止体が外部から見えないか或いは極めて見え難い（視界に入り難い）ため、扉のデザイン性を損なうことなく、不意に足や物が引っ掛ってしまう障害物にもならず、好適である。しかも、本発明の戸当たりは、キャッチャに対する係止動作に伴う係止体本体の突没方向を取付状態における扉の幅方向に設定しているため、係止体を昇降動作可能に設定した態様と比較して、係止体の適切な昇降移動距離を十分に確保可能なスペースを扉の内部に確保する必要がなく、係止体を扉に取り付ける際に必要な扉に対する加工が皆無であったり、又は加工数や加工程度を低減することが可能である。
【００１２】
以上のような作用効果を奏する本発明の戸当たりは、扉を所定の開き位置に向かって移動させれば、付勢部材の付勢力によって突出方向に付勢されている係止体本体の先端部がキャッチャの嵌合凹部に到達する直前で干渉部に干渉することで、付勢部材の付勢力に抗して係止体本体が没入方向へ移動し、干渉部を越えた時点で付勢部材の付勢力よって突出方向に付勢された係止体本体の先端部が嵌合凹部に嵌合し、扉を所定の開き位置に保持することができる。
【００１３】
また、本発明の戸当たりでは、係止体として、扉の下向き面に開口する取付用孔に挿入可能な有底筒状の筒状挿入部を備えたものを適用することができる。この場合、筒状挿入部の底部に係止体本体の移動範囲を規定する長孔を形成し、係止体本体の突没動作に伴って長孔内で移動する規制ピンの一部を筒状挿入部の内部空間に臨ませる構成にすれば、有底筒状の筒状挿入部を扉の取付用孔に挿入することで扉に対する係止体の相対位置を決めることができるとともに、筒状挿入部の内部空間に一部を臨ませた規制ピンの移動距離を筒状挿入部の底部に形成した長孔で規定することができ、係止体本体の移動範囲を規定する専用の機構を別途専用に設ける必要がなく、部品点数の削減を図ることができる。
【００１４】
加えて、本発明の戸当たりは、ベース体の高さ寸法及びキャッチャの高さ寸法をそれぞれ一般的な扉の下向き面（底面）と床面の間のスペース内に収まる１０ｍｍ以下に設定することが可能である。
【００１５】
また、本発明の戸当たりにおいて、係止体及びキャッチャを共通の位置決め部材に相対位置を固定した状態で保持可能に構成し、位置決め部材による係止体及びキャッチャの保持状態を維持したままキャッチャを床に取り付け、当該キャッチャの取付後に、位置決め部材による係止体及びキャッチャの保持状態を解除して位置決め部材を係止体及びキャッチャから取り外し可能に構成すれば、扉に対する係止体の取付位置又は床面に対するキャッチャの取付位置の何れか一方の取付位置を決めることで、他方の取付位置を容易且つスムーズに特定することができ、取付作業の効率化を図ることができる。
【発明の効果】
【００１６】
本発明によれば、係止体のうち扉の厚み方向内に収まる寸法を有する扁平なベース体を扉の下向き面に取り付け、このベース体の内部に少なくとも係止体本体の基端部側領域及び付勢部材を収容しているため、取付状態では係止体が視界に入り難く、扉の外観を損なわないようにすることができる。また、本発明では、キャッチャに直接係止する係止体本体の突没方向を扉の幅方向に設定しているため、係止体本体の突没動作を扉の高さ方向に設定した態様と比較して、係止作用に伴う係止体の移動スペースを扉の内部空間に確保する必要のない戸当たりを提供することができる。
【図面の簡単な説明】
【００１７】
【図１】本発明の一実施形態に係る戸当たりの全体概略図。
【図２】扉の下方から見た同実施形態に係る係止体と扉との相対位置関係を示す図。
【図３】同実施形態に係る戸当たりによって扉を開き位置に保持している状態の平面模式図。
【図４】図３のＡ方向矢視図。
【図５】同実施形態に係るキャッチャ及び位置決め部材の全体図。
【図６】同実施形態において係止体及びキャッチャを位置決め部材で保持している状態の平面模式図。
【図７】同実施形態において扉が閉じ位置にある状態の図３対応図。
【図８】同実施形態において係止体本体がキャッチャに接触し始めた状態の図３対応図。
【図９】同実施形態において係止体本体がキャッチャに接触して没入方向へ移動した状態の図３対応図。
【発明を実施するための形態】
【００１８】
以下、本発明の一実施形態を、図面を参照して説明する。
【００１９】
本実施形態に係る戸当たり１は、例えば室内空間と室外空間とに連通する開口部を回転しながら開閉し得る扉Ｄ（回転扉Ｄ）を所定の開き位置に保持させるためのものであり、図１に示すように、扉Ｄに取り付ける係止体２と、床面Ｆに取り付けるキャッチャ３とを備えている。なお、この扉Ｄの吊元側となる一方の側縁部と開口部の枠（図示省略）との間には蝶番Ｃを配置している。蝶番Ｃは、扉Ｄに取り付けられる第１蝶番要素Ｃ１と、枠に取り付けられる第２蝶番要素Ｃ２とを備えた周知のものである。
【００２０】
係止体２は、図１乃至図４（図３は戸当たり１によって扉を開き位置に保持した状態の平面模式図であり、図４は図３のＡ方向矢視図である）に示すように、扉Ｄの下向き面Ｄ１に取り付けられる扁平なベース体４と、ベース体４の内部に少なくとも基端部側領域を収容した状態で突没動作可能な係止体本体５と、ベース体４の内部に収容された状態で係止体本体５を所定方向に付勢する付勢部材６と、扉Ｄの下向き面Ｄ１に開口する取付用孔Ｄ２に挿入可能な有底筒状の筒状挿入部７とを備えたものである。なお、図３では、正確な平面図であれば扉Ｄによって見えずカクレ線（隠線）として示すべき係止体２を説明の便宜上実線で示している。
【００２１】
ベース体４は、高さ寸法を例えば１０ｍｍ以下（本実施形態では９ｍｍ以下）に設定したものであり、内部に、係止体本体５の基端側領域及び付勢部材６を収容するスペースを形成したものである。このベース体４は、扉Ｄの下向き面Ｄ１に取り付けた状態（取付状態）における扉Ｄの厚み方向に沿った寸法４Ｘが扉Ｄの厚み寸法ＤＸよりも小さく、取付状態における扉Ｄの幅方向に長尺な形状である（図３参照）。本実施形態では、ベース体４のうち取付状態における扉Ｄの幅方向に沿った両端部（ベース体４の長手方向両端部）のうち、一方の端部には、係止体本体５の突没動作を許容する開口部（突没動作許容口）を形成し、他方の端部近傍には、高さ方向に貫通するネジ挿通用孔４１を形成している。また、ベース体４のうち、取付状態における扉Ｄの厚み方向に沿った両側縁部（ベース体４の平面視長辺部分）の少なくとも一方に凹部４２を形成している。この凹部４２は、後述する位置決め部材Ｊの一部（係止体保持用突部Ｊ１）が嵌合可能な形状である。
【００２２】
係止体本体５は、基端部側領域をベース体４の内部に収容し、突没動作許容口からベース体４の外部に露出させた平面視略三角形状の先端部５１を有するものである。本実施形態では、係止体本体５の先端部５１の高さ方向の寸法（高さ寸法）をベース体４の高さ寸法内に収まるように設定している（図４参照）。
【００２３】
付勢部材６は、図３に示すように、例えば弾性部材の一種であるコイルばねを用いて構成したものであり、伸縮方向をベース体４の長手方向と同一方向に設定した状態でベース体４の内部に収容され、この収容状態で係止体本体５を突出方向へ付勢するものである。なお図３では、ベース体４の内部に収容されているため隠線で示すべき付勢部材６を模式的に実線で示している。
【００２４】
筒状挿入部７は、ベース体４の上面のうち突没動作許容口を形成した側（換言すればベース体４のうちネジ挿通用孔４１の形成箇所からベース体４の長手方向に離間した位置）の領域から上方に延出し、外周面に切頭円錐部７１を高さ方向に複数段形成したものである。筒状挿入部７の底部７２にはベース体４の長手方向に延びる長孔７３を形成している。この長孔７３は、係止体本体５の移動範囲を規定するものである。具体的には、係止体本体５の基端部に設けられ且つ係止体本体５の突没動作に伴ってベース体４の長手方向に進退動作可能な規制ピン５２がこの長孔７３内で移動するように構成している。本実施形態では、規制ピン５２のうち、長孔７３の対向する長辺同士の離間寸法よりも大きい外径に設定した上端部（大径部）を長孔７３の上方空間である筒状挿入部７の内部空間７Ｓに配置している。
【００２５】
なお、係止体２として、ベース体４をカバーで被覆したものを適用することも可能である。この場合、カバーにも、上述したベース体４の凹部４２に対応する凹部を形成していることが好ましい。
【００２６】
キャッチャ３は、図１、図３乃至図５に示すように、概略円盤状をなす扁平なキャッチャ本体８を主体としてなり、このキャッチャ本体８の一部に、係止体本体５の先端部５１が嵌合可能な嵌合凹部８１と、所定の開き位置に向かう扉Ｄの移動に伴って嵌合凹部８１に到達する直前の係止体本体５の先端が干渉し且つ付勢部材６の付勢力に抗して係止体本体５をベース体４内に没入させる方向に移動させる干渉部８２とを形成している。嵌合凹部８１及び干渉部８２はキャッチャ本体８の外周面において連続する位置に形成され、本実施形態では、嵌合凹部８１のうち干渉部８２に連続する部分とは反対側の部分に、干渉部８２よりもキャッチャ本体８の中心部から離間する方向に突出させたストッパ部８３を形成している。
【００２７】
また、キャッチャ本体８の所定箇所（図示例では３箇所）には、ネジＮが挿通可能なネジ挿通用孔８４を形成している。キャッチャ本体８の外周面における所定箇所（図示例では３箇所）には、キャッチャ本体８の中心側に窪ませた段部８５を形成し、各段部８５にはそれぞれ後述する位置決め部材Ｊの一部（キャッチャ保持用突部Ｊ２）が嵌合し得るように構成している。
【００２８】
本実施形態のキャッチャ３は、キャッチャ本体８を被覆し得るキャッチャカバー９を備えている（図５参照）。キャッチャカバー９は、キャッチャ本体８の上向き面の全部分を被覆する上面被覆部９１と、キャッチャ本体８の外周面のうち、嵌合凹部８１、干渉部８２及びストッパ部８３以外の部分を被覆する側面被覆部９２とを備えたものである。また、側面被覆部９２の内周面には、キャッチャ本体８の段部８５に嵌合可能な内方突出部（図示省略）を形成している。なお、図３では、説明の便宜上、キャッチャ本体８にキャッチャカバー９を取り付けていないキャッチャ３を示している。
【００２９】
次に、このような係止体２及びキャッチャ３をそれぞれ扉Ｄや床面Ｆに取り付けて固定する手順を説明する。
【００３０】
先ず、予め扉Ｄの下向き面Ｄ１における所定位置（例えば扉Ｄの吊元側（蝶番Ｃを取り付けている側）から数百ｍｍの位置）に形成した下方に開口する取付用孔Ｄ２に戸当たり１の筒状挿入部７を挿入する。この際、筒状挿入部７の外周面に複数段形成した切頭円錐部７１の存在により、丸孔Ｄ２に対する筒状挿入部７の挿入作業をスムーズに行うことができるとともに、挿入し終えた状態では各切頭円錐部７１が抜け止め手段として機能し得る。次いで、ベース体４に形成したネジ挿通用孔４１に挿入したネジＮを扉Ｄに締めることで、ベース体４を扉Ｄの下向き面Ｄ１に密着させた状態で係止体２を扉Ｄに取り付けることができる。
【００３１】
一方、キャッチャ３は床面Ｆに取り付けるには、先ずキャッチャ本体８を位置決め部材Ｊに保持させておき、その位置決め部材Ｊの係止体保持用突部Ｊ１を係止体２の凹部４２に圧入する。ここで、キャッチャ本体８の外周面に形成した各段部８５にそれぞれ位置決め部材Ｊのキャッチャ保持用突部Ｊ２を嵌合させることによってキャッチャ本体８を位置決め部材Ｊに保持させることができる。なお、係止体２及びキャッチャ３の相対位置を規定し且つキャッチャ３を床面Ｆの所定位置に正確に取り付けるための治具として機能を発揮する位置決め部材Ｊは、図５及び図６に示すように、キャッチャ本体８の平面視外縁形状より僅かに大きい開口形状に設定したキャッチャ本体収容開口部Ｊ３を有するキャッチャ本体保持部Ｊ４と、係止体保持用突部Ｊ１と、キャッチャ本体保持部Ｊ４及び係止体保持用突部Ｊ１を連結する連結部Ｊ５とを備えたものである。本実施形態では、位置決め部材Ｊのうち係止体保持用突部Ｊ１を係止体２の凹部４２に圧入した状態で、連結部Ｊ５のうち係止体保持用突部Ｊ１の突出方向と直交する方向に延出する直線部分Ｊ６がベース体４の縁部に当接し得るように構成している（図６参照）。また、キャッチャ本体収容開口部Ｊ３の内向き面に、上述したキャッチャ本体８の段部８５に嵌合可能なキャッチャ保持用突部Ｊ２を形成している。
【００３２】
そして、キャッチャ本体８を位置決め部材Ｊのキャッチャ本体保持部Ｊ４に保持させ、位置決め部材Ｊの係止体保持用突部Ｊ１を係止体２の凹部４２に圧入した状態でキャッチャ本体８を床面Ｆ（床板）の所定位置に位置付け、キャッチャ本体８に形成した各ネジ挿通用孔８４にそれぞれ挿入したネジＮを床板Ｆに締めることで、キャッチャ本体８を床板Ｆに取り付けて固定することができる。引き続いて、位置決め部材Ｊのキャッチャ本体保持部Ｊ４によるキャッチャ本体８の保持状態を解除するとともに、係止体２の凹部４２に対する位置決め部材Ｊの係止体保持用突部Ｊ１の圧入状態を解除することによって位置決め部材Ｊを係止体２及びキャッチャ本体８から取り外し、キャッチャ本体８の上方からキャッチャカバー９をキャッチャ本体８に被覆することで床面Ｆに対するキャッチャ３の取付作業が完了となる。なお、図６では扉Ｄを想像線で示している。
【００３３】
次に、上記手順によって扉Ｄ及び床面Ｆにそれぞれ取り付けた係止体２及びキャッチャ３で構成した本実施形態の戸当たり１の作用について説明する。なお、本実施形態では、図３及び図７に示すように扉Ｄの開き角度が例えば９０度（扉Ｄに設けたノブが壁に当たることを回避するために９０度よりも低い値、例えば８５度等）となる位置を開き位置に設定している。
【００３４】
図７に示す位置にある扉Ｄを所定の開き位置に向かって移動させる操作に伴って、図８に示すように、係止体本体５の先端部５１がキャッチャ３に接近し、係止体本体５の先端部５１がキャッチャ３の嵌合凹部８１に嵌合する直前で、図９に示すように、係止体本体５の先端がキャッチャ３の干渉部８２に干渉し、係止体本体５は付勢部材６の付勢力に抗して没入方向に移動する。そして、そのまま扉Ｄを所定の開き位置に向かって移動させると、図３に示すように、係止体本体５の先端がキャッチャ３の干渉部８２を通過し、付勢部材６の付勢力（弾性復元力）によって係止体本体５が突出方向へ移動して、係止体本体５の先端部５１がキャッチャ３の嵌合凹部８１に嵌合する。その結果、戸当たり１の作用により扉Ｄを所定の開き角度の位置で保持することができる。また、突出方向へ移動した係止体本体５がキャッチャ３の嵌合凹部８１に嵌合した時点でさらに扉Ｄを同一方向へ移動させようとしたり、そのような外力が扉Ｄに作用した場合であっても係止体本体５がキャッチャ本体８のストッパ部８３に当接することによって扉Ｄのそれ以上同一方向への移動を規制することができる。
【００３５】
また、戸当たり１による扉Ｄの開き位置保持状態を解除するには、開き操作時とは反対方向に扉Ｄを移動させる操作力を付与すればよい。この操作力に伴って、係止体本体５の先端が接触する対象はキャッチャ３の嵌合凹部８１から干渉部８２に移行し、係止体本体５は付勢部材６の付勢力に抗して没入方向へ移動する（図９参照）。そして、係止体本体５は、干渉部８２を通過した時点で付勢部材６の付勢力（弾性復元力）によって突出方向へ移動し、係止体本体５とキャッチャ３との係止状態は完全に解除され、扉Ｄの開き位置保持状態を解除することができる。
【００３６】
このように、本実施形態に係る戸当たり１は、扉Ｄの厚み方向に沿った寸法４Ｘが扉Ｄの厚み寸法ＤＸよりも小さい扁平なベース体４を備えた係止体２を扉Ｄの下向き面Ｄ１に取り付け、このベース体４の内部に扉Ｄの幅方向に突没動作可能な係止体本体５の一部及び係止体本体５をベース体４から突出させる方向に付勢する付勢部材６を収容しているため、係止体本体５が付勢部材によって突出方向に付勢されている状態であっても係止体２全体を扉Ｄの幅寸法内に収まるように取り付けることができ、係止体２が視界には殆ど入らなくなり、扉Ｄのデザイン性を損なうことなく、不意に足や物が係止体２に引っ掛ってしまう事態を回避することができる。さらに、本実施形態の戸当たり１は、キャッチャ３に対する係止動作に伴う係止体本体５の突没方向を取付状態における扉Ｄの幅方向に設定しているため、係止体２を昇降動作可能に設定した態様と比較して、係止体２の適切な昇降移動距離を十分に確保可能なスペースを扉Ｄの内部に確保する必要がなく、係止体２を扉Ｄに取り付ける際に必要な扉Ｄに対する加工数や加工程度を低減することが可能である。
【００３７】
特に、本実施形態に係る戸当たり１は、係止体２として、扉Ｄの下向き面Ｄ１に開口する取付用孔Ｄ２に挿入可能な有底筒状の筒状挿入部７を備えたものを適用して、筒状挿入部７の底部７２に係止体本体５の移動範囲を規定する長孔７３を形成し、係止体本体５の突没動作に伴って長孔７３内で移動する規制ピン５２の一部を筒状挿入部７の内部空間７Ｓに臨ませる構成にしているため、有底筒状の筒状挿入部７を扉Ｄの取付用孔Ｄ２に挿入することで扉Ｄに対する係止体２の相対位置を決めることができるとともに、筒状挿入部７の内部空間７Ｓに一部を臨ませた規制ピン５２の移動距離を筒状挿入部７の底部７２に形成した長孔７３で規定することができ、係止体本体５の移動範囲を規定する専用の機構を別途専用に設ける必要がなく、部品点数の削減を図ることができる。
【００３８】
加えて、本実施形態に係る戸当たり１は、ベース体４の高さ寸法及びキャッチャ３の高さ寸法をそれぞれ１０ｍｍ未満に設定しているため、床面Ｆと扉Ｄの下向き面Ｄ１との隙間が例えば１０ｍｍという僅かなスペースであってもそのスペース内に係止体２及びキャッチャ３を配置可能な省スペース化を実現している。
【００３９】
また、本実施形態の戸当たり１は、係止体２及びキャッチャ３を共通の位置決め部材Ｊによって相対位置を固定した状態で保持可能に構成しているため、扉Ｄに対する係止体２の取付位置又は床面Ｆに対するキャッチャ３の取付位置の何れか一方（例えば係止体２）の取付位置を決めることで、他方の取付位置（例えばキャッチャ３）を容易且つスムーズに特定することができ、取付作業の効率化を図ることができる。
【００４０】
なお、本発明は上述した実施形態に限定されるものではない。例えば、付勢部材は、係止体本体をベース体から突出させる方向に付勢するものであればよく、コイルばね以外の部材や機構を用いて構成してもよい。
【００４１】
また、筒状挿入部として、外周面に切頭円錐部を形成していない単純な筒状のものを適用しても構わない。さらに、筒状挿入部が、角筒状のものであってもよい。なお、筒状挿入部自体を備えていない係止体を適用することも可能である。
【００４２】
また、係止体本体の先端部の形状は適宜変更してもよく、その形状に対応させてキャッチャの嵌合凹部の形状も適宜すればよい。
【００４３】
また、１組の係止体及びキャッチャが、扉の吊元側が扉の左右何れの場合であっても対応可能なものであれば、扉の吊元側が扉の左右の何れであるかを問わず共通の係止体及びキャッチャを適用することができ、好適である。具体的には、係止体及びキャッチャを左右反転又は上下反転させた状態でも、反転させる前の状態と同様の作用効果を奏し得るように係止体及びキャッチャの構造や形状を設定すればよい。この場合、位置決め部材も、扉の吊元側が扉の左右の何れであるかを問わず、１組の係止体及びキャッチャを保持可能なものであることが望ましい。
【００４４】
また、扉の下向き面において係止体を取り付ける位置は、扉の吊元側に寄った位置に限定されることなく、吊元ではない側（反吊元側）に寄った位置であっても構わない。
【００４５】
その他、各部の具体的構成についても上記実施形態に限られるものではなく、本発明の趣旨を逸脱しない範囲で種々変形が可能である。
【符号の説明】
【００４６】
１…戸当たり
２…係止体
３…キャッチャ
４…ベース体
５…係止体本体
５２…規制ピン
６…付勢部材
７…筒状挿入部
７３…長孔
８１…嵌合凹部
８２…干渉部
Ｄ…扉
Ｄ１…下向き面
Ｄ２…取付用孔
Ｆ…床
Ｊ…位置決め部材
【図１】
0005629728.tif 000002
【図２】
0005629728.tif 000003
【図３】
0005629728.tif 000004
【図４】
0005629728.tif 000005
【図５】
0005629728.tif 000006
【図６】
0005629728.tif 000007
【図７】
0005629728.tif 000008
【図８】
0005629728.tif 000009
【図９】
0005629728.tif 000010